(57)【要約】【課題】広域に点在する建物間でのデータの比較を容易かつリアルタイムに行い、複数の建物内の設備機器を連動させて自動制御する。【解決手段】広域管理装置２１は、建物１内の設備機器１１に状態変化が生じた場合に他の建物１内の設備機器１１に対して発停処理を行うイベントプログラムを登録しているイベントプログラム登録手段２１１と、イベントプログラムを選択するイベントプログラム選択手段２１３と、選択されたイベントプログラムに対して、状態変化検出対象および発停処理対象の設備機器を設定するイベントプログラム実行条件設定手段２１４と、建物管理装置１２から状態変化検出対象の設備機器１１の状態変化情報を検出する状態変化検出手段２１５と、状態変化情報が検出された場合に、選択されたイベントプログラムに従い、発停処理対象の設備機器１１に対して発停処理を行うイベントプログラム実行手段２１６とを備えた。【選択図】図１
2012053549.tif 000002
【特許請求の範囲】
【請求項１】
対象の建物に設置された複数の設備機器の発停状況の変化や警報の発生を示す状態変化情報を収集して当該各設備機器を監視管理する複数の建物管理装置と、前記各建物管理装置により収集された状態変化情報を受信して、当該各建物内の設備機器を監視管理する広域管理装置とを備えた広域監視システムであって、
前記広域管理装置は、
所定の建物内の設備機器に状態変化が生じた場合に他の所定の建物内の設備機器に対して発停処理を行うイベントプログラムを登録しているイベントプログラム登録手段と、
前記イベントプログラム登録手段からイベントプログラムを選択するイベントプログラム選択手段と、
前記イベントプログラム選択手段により選択されたイベントプログラムに対して、状態変化検出対象および発停処理対象の設備機器を設定するイベントプログラム実行条件設定手段と、
前記建物管理装置から、前記イベントプログラム実行条件設定手段により設定された状態変化検出対象に該当する設備機器の状態変化情報を検出する状態変化検出手段と、
前記状態変化検出手段により状態変化情報が検出された場合に、前記イベントプログラム選択手段により選択されたイベントプログラムに従い、前記イベントプログラム実行条件設定手段により設定された発停処理対象に該当する設備機器に対して発停処理を行うイベントプログラム実行手段とを備えた
ことを特徴とする広域監視システム。
【請求項２】
前記広域管理装置に所定のタイミングで状態変化情報を出力するダミー機器をさらに備え、
前記イベントプログラム実行条件設定手段は、前記ダミー機器を状態変化検出対象として設定する
ことを特徴とする請求項１記載の広域監視システム。
【請求項３】
前記イベントプログラム登録手段は、所定の建物内の設備機器に状態変化が生じた場合に、当該建物を監視している担当者に対して当該状態変化発生の通知を行うイベントプログラムを登録し、
前記イベントプログラム実行条件設定手段は、前記イベントプログラム選択手段により当該イベントプログラムが選択された場合には、状態変化検出対象の設備機器および通知対象の担当者を設定し、
前記イベント実行手段は、前記イベントプログラム選択手段により当該イベントプログラムが選択され、前記状態変化検出手段により状態変化情報が検出された場合には、前記イベントプログラム実行条件設定手段により設定された通知対象に該当する担当者に対して状態変化発生通知を行う
ことを特徴とする請求項１記載の広域監視システム。
【請求項４】
対象の建物に設置された複数の設備機器の発停状況の変化や警報の発生を示す状態変化情報を収集して当該各設備機器を監視管理する複数の建物管理装置から状態変化情報を受信して、当該各建物内の設備機器を監視管理する広域管理装置であって、
所定の建物内の設備機器に状態変化が生じた場合に他の所定の建物内の設備機器に対して発停処理を行うイベントプログラムを登録しているイベントプログラム登録手段と、
前記イベントプログラム登録手段からイベントプログラムを選択するイベントプログラム選択手段と、
前記イベントプログラム選択手段により選択されたイベントプログラムに対して、状態変化検出対象および発停処理対象の設備機器を設定するイベントプログラム実行条件設定手段と、
前記建物管理装置から、前記イベントプログラム実行条件設定手段により設定された状態変化検出対象に該当する設備機器の状態変化情報を検出する状態変化検出手段と、
前記状態変化検出手段により状態変化情報が検出された場合に、前記イベントプログラム選択手段により選択されたイベントプログラムに従い、前記イベントプログラム実行条件設定手段により設定された発停処理対象に該当する設備機器に対して発停処理を行うイベントプログラム実行手段と
を備えたことを特徴とする広域管理装置。
【請求項５】
対象の建物に設置された複数の設備機器の発停状況の変化や警報の発生を示す状態変化情報を収集して当該各設備機器を監視管理する複数の建物管理装置と、前記各建物管理装置により収集された状態変化情報を受信して、当該各建物内の設備機器を監視管理する広域管理装置とを備えた広域監視システムの広域監視方法であって、
所定の建物内の設備機器に状態変化が生じた場合に他の所定の建物内の設備機器に対して発停処理を行うイベントプログラムを登録しているイベントプログラム登録手段から、イベントプログラムを選択するイベントプログラム選択ステップと、
前記イベントプログラム選択ステップにおいて選択したイベントプログラムに対して、状態変化検出対象および発停処理対象の設備機器を設定するイベントプログラム実行条件設定ステップと、
前記建物管理装置から、前記イベントプログラム実行条件設定ステップにおいて設定した状態変化検出対象に該当する設備機器の状態変化情報を検出する状態変化検出ステップと、
前記状態変化検出ステップにおいて状態変化情報が検出された場合に、前記イベントプログラム選択手段により選択されたイベントプログラムに従い、前記イベントプログラム実行条件設定ステップにおいて設定した発停処理対象に該当する設備機器に対して発停処理を行うイベントプログラム実行ステップとを有する
ことを特徴とする広域監視方法。
【発明の詳細な説明】
【技術分野】
【０００１】
この発明は、複数の建物に設置されている設備機器を監視管理する広域監視システム、広域管理装置および広域監視方法に関するものである。
【背景技術】
【０００２】
従来から、テナントビル、病院（複数の病棟）、大学（複数の建屋）や工場などの建物に設定されている設備機器（空調機、ファン、照明や入退機器など）を監視管理する監視装置が存在している。
この監視装置は、建物（事業所）ごとに設けられ、この建物内の各設備機器の発停（運転／停止）状況の変化や警報の発生などを示す状態変化情報を収集して、各設備機器の監視管理を行っている。また、監視装置には、イベントプログラムが登録されている。このイベントプログラムによって、対象の建物内における、単一もしくは複数の設備機器に状態変化が生じた場合に別の設備機器に対して発停処理を行っている。
【０００３】
また、ある建物で警報が発生した場合に、同様の事象が他の建物でも生じていないかを確認して、警報の予知を行うように構成された監視装置についても開示されている（例えば特許文献１参照）。
【先行技術文献】
【特許文献】
【０００４】
【特許文献１】特開２００１−３３１５７１号公報
【発明の概要】
【発明が解決しようとする課題】
【０００５】
上記のように、従来の監視装置では、建物単位で設備機器を管理しているため、同一企業内の広域に点在する建物間でのデータを比較することはできず、複数の建物内の設備機器を連動させて自動制御することはできないという課題があった。このため、例えば、複数の建物で一斉に設備機器を運転する必要がある場合には、それぞれの建物にオペレータを配置して、通信手段などを介して操作する必要があった。
また、特許文献１に開示される監視装置では、具体的な状態変化の検出手段と、それに基づく発停処理への連動手段とについては不明であり、複数の建物内の設備機器を連動させて自動制御することはできないという課題があった。
【０００６】
この発明は、上記のような課題を解決するためになされたもので、広域に点在する建物間でのデータの比較を容易かつリアルタイムに行うことができ、複数の建物内の設備機器を連動させて自動制御することができる広域監視システム、広域管理装置および広域監視方法を提供することを目的としている。
【課題を解決するための手段】
【０００７】
この発明に係る広域監視システムは、対象の建物に設置された複数の設備機器の発停状況の変化や警報の発生を示す状態変化情報を収集して当該各設備機器を監視管理する複数の建物管理装置と、各建物管理装置により収集された状態変化情報を受信して、当該各建物内の設備機器を監視管理する広域管理装置とを備え、広域管理装置は、所定の建物内の設備機器に状態変化が生じた場合に他の所定の建物内の設備機器に対して発停処理を行うイベントプログラムを登録しているイベントプログラム登録手段と、イベントプログラム登録手段からイベントプログラムを選択するイベントプログラム選択手段と、イベントプログラム選択手段により選択されたイベントプログラムに対して、状態変化検出対象および発停処理対象の設備機器を設定するイベントプログラム実行条件設定手段と、建物管理装置から、イベントプログラム実行条件設定手段により設定された状態変化検出対象に該当する設備機器の状態変化情報を検出する状態変化検出手段と、状態変化検出手段により状態変化情報が検出された場合に、イベントプログラム選択手段により選択されたイベントプログラムに従い、イベントプログラム実行条件設定手段により設定された発停処理対象に該当する設備機器に対して発停処理を行うイベントプログラム実行手段とを備えたものである。
【０００８】
また、この発明に係る広域監視方法は、所定の建物内の設備機器に状態変化が生じた場合に他の所定の建物内の設備機器に対して発停処理を行うイベントプログラムを登録しているイベントプログラム登録手段から、イベントプログラムを選択するイベントプログラム選択ステップと、イベントプログラム選択ステップにおいて選択したイベントプログラムに対して、状態変化検出対象および発停処理対象の設備機器を設定するイベントプログラム実行条件設定ステップと、建物管理装置から、イベントプログラム実行条件設定ステップにおいて設定した状態変化検出対象に該当する設備機器の状態変化情報を検出する状態変化検出ステップと、状態変化検出ステップにおいて状態変化情報が検出された場合に、イベントプログラム選択手段により選択されたイベントプログラムに従い、イベントプログラム実行条件設定ステップにおいて設定した発停処理対象に該当する設備機器に対して発停処理を行うイベントプログラム実行ステップとを有するものである。
【発明の効果】
【０００９】
この発明によれば、広域に点在する建物間でのデータの比較を容易かつリアルタイムに行うことができ、複数の建物内の設備機器を連動させて自動制御することができる。このように、複数の建物を企業単位で包括して扱うことができるため、効率的な運用が可能となる。また、状態変化検出から発停処理へのロジックを組むことができるため、処理の条件判断などの人的な介入を一切不要とすることができる。
【図面の簡単な説明】
【００１０】
【図１】この発明の実施の形態１に係る広域監視システムの構成を示すブロック図である。
【図２】この発明の実施の形態１に係る広域管理装置の動作を示すフローチャートである。
【図３】この発明の実施の形態１におけるプログラム一覧画面を示す図である。
【図４】この発明の実施の形態１における状態変化検出対象の設備機器に関する実行条件設定画面を示す図である。
【図５】この発明の実施の形態１における発停処理対象の設備機器に関する実行条件設定画面を示す図である。
【図６】この発明の実施の形態２に係る広域監視システムの構成を示すブロック図である。
【発明を実施するための形態】
【００１１】
以下、この発明の実施の形態について図面を参照しながら詳細に説明する。
実施の形態１．
図１はこの発明の実施の形態１に係る広域監視システムの構成を示すブロック図である。
広域監視システムは、図１に示すように、広域に点在する複数の建物（事業所）１および広域管理センタ２から構成されている。なお、図１では、建物１として２つの建物Ａ，Ｂを示している。
【００１２】
各建物１には、それぞれ複数の設備機器（空調機、ファン、照明や入退機器など）１１が備えられている。
また、建物１ごとに、この建物１内の各設備機器１１を監視管理する建物管理装置１２が備えられている。建物管理装置１２は、各設備機器１１の発停状況の変化や警報の発生などを示す状態変化情報を収集して、各設備機器１１の発停処理を行うものである。この建物管理装置１２は、通信回線を介して、広域管理センタ２の広域管理装置２１と接続されている。
【００１３】
広域管理センタ２には、各建物管理装置１２により監視管理されている各設備機器１１を包括して監視管理する広域管理装置２１が備えられている。なお、建物管理装置１２および広域管理装置２１の監視管理対象である設備機器１１は、管理ポイントとして建物管理装置１２および広域管理装置２１に予め定義され登録されている。
この広域管理装置２１は、イベントプログラム登録手段２１１、イベントプログラム表示手段２１２、イベントプログラム選択手段２１３、イベントプログラム実行条件設定手段２１４、状態変化検出手段２１５およびイベントプログラム実行手段２１６から構成されている。
【００１４】
イベントプログラム登録手段２１１は、所定の建物１内の設備機器１１に状態変化が生じた場合に他の所定の建物１内の設備機器１１に対して発停処理を行うイベントプログラム（建物間連動処理プログラム）を予め登録するものである。このイベントプログラムによって、複数の建物１内の設備機器１１を連動させて自動制御する。このイベントプログラム登録手段２１１に登録されている各イベントプログラムはイベントプログラム表示手段２１２またはイベントプログラム実行手段２１６により抽出される。
【００１５】
イベントプログラム表示手段２１２は、イベントプログラム選択手段２１３による指示に従い、イベントプログラム登録手段２１１に登録されているイベントプログラムの名称を一覧表示したプログラム一覧画面をモニタ（不図示）上に表示するものである。また、イベントプログラム表示手段２１２は、イベントプログラム実行条件設定手段２１４による指示に従い、イベントプログラム選択手段２１３により選択されたイベントプログラムに対する実行条件を設定するための実行条件設定画面をモニタ上に表示する。
【００１６】
イベントプログラム選択手段２１３は、ユーザによる指示に従い、イベントプログラム登録手段２１１に登録されている複数のイベントプログラムの中からイベントプログラムを選択するものである。この際、ユーザは、イベントプログラム表示手段２１２によりモニタ上に表示されたプログラム一覧画面の中から、所望のイベントプログラム名称を選択することによって、イベントプログラムの選択を行う。このイベントプログラム選択手段２１３により選択されたイベントプログラムを示す情報はイベントプログラム実行条件設定手段２１４およびイベントプログラム実行手段２１６に出力される。
【００１７】
イベントプログラム実行条件設定手段２１４は、ユーザによる指示に従い、イベントプログラム選択手段２１３により選択されたイベントプログラムに対して、実行条件を設定するものである。この実行条件には、状態変化検出対象の設備機器１１および発停処理対象の設備機器１１を示す情報が含まれている。この際、ユーザは、イベントプログラム表示手段２１２によりモニタ上に表示されたイベントプログラムの実行条件設定画面に従って、各実行条件の設定を行う。このイベントプログラム実行条件設定手段２１４により設定された実行条件を示す情報は状態変化検出手段２１５およびイベントプログラム実行手段２１６に出力される。
【００１８】
状態変化検出手段２１５は、建物管理装置１２から、イベントプログラム実行条件設定手段２１４により設定された状態変化検出対象に関する実行条件に該当する設備機器１１の状態変化情報を検出するものである。ここで、状態変化検出手段２１５は、状態変化検出対象に関する実行条件に該当する設備機器１１の状態変化情報を検出した場合には、その旨を示す情報をイベントプログラム実行手段２１６に出力する。
【００１９】
イベントプログラム実行手段２１６は、イベントプログラム選択手段２１３により選択され、イベントプログラム実行条件設定手段２１４により実行条件が設定されたイベントプログラムを実行状態に移行するものである。その後、イベントプログラム実行手段２１６は、状態変化検出手段２１５により状態変化検出対象に関する実行条件に該当する設備機器１１の状態変化情報が検出された場合には、実行状態に移行したイベントプログラムに従い、イベントプログラム実行条件設定手段２１４により設定された発停処理対象に関する実行条件に該当する設備機器１１に対して発停処理を行う。
【００２０】
次に、上記のように構成された広域管理装置２１の動作について説明する。
図２はこの発明の実施の形態１に係る広域管理装置２１の動作を示すフローチャートである。
なお、イベントプログラム登録手段２１１には、複数のイベントプログラムが予め登録されている。
【００２１】
広域管理装置２１の動作では、図２に示すように、まず、イベントプログラム選択手段２１３は、ユーザによる指示に従い、イベントプログラム登録手段２１１に登録されている複数のイベントプログラムの中からイベントプログラムを選択する（ステップＳＴ２１、イベントプログラム選択ステップ）。この際、イベントプログラム表示手段２１２は、イベントプログラム選択手段２１３による指示に従い、例えば図３に示すようなプログラム一覧画面をモニタ上に表示する。このプログラム一覧画面には、図３に示すように、イベントプログラム登録手段２１１に登録されている複数のイベントプログラムの名称がリスト番号（Ｎｏ．）と共に一覧表示されている。ユーザは、これらのイベントプログラム名称の中から所望のイベントプログラム名称に対応するリスト番号を入力して、表示ボタンを押すことにより、イベントプログラムを選択することができる。
【００２２】
次いで、イベントプログラム実行条件設定手段２１４は、ユーザによる指示に従い、イベントプログラム選択手段２１３により選択されたイベントプログラムに対して、実行条件を設定する（ステップＳＴ２２，２３、イベントプログラム実行条件設定ステップ）。
【００２３】
まず、ステップＳＴ２２では、イベントプログラム実行条件設定手段２１４は、ユーザによる指示に従い、状態変化検出対象の設備機器１１に関する実行条件を設定する。この際、イベントプログラム表示手段２１２は、イベント実行条件設定手段２１４による指示に従い、まず、例えば図４に示すような状態変化検出対象の設備機器１１に関する実行条件設定画面をモニタ上に表示する。この状態変化検出対象の設備機器１１に関する実行条件設定画面には、図４に示すように、状態変化検出対象の設備機器１１を設定するイニシエータポイント設定項目、状態変化として検出する際の条件を設定するイニシエータポイント動作設定項目、インターロック条件設定項目、連動プログラム設定項目および発停処理を行うまでの遅延時間を設定する出力ディレィ設定項目が設けられている。なお、連動プログラムとは、選択したイベントプログラムにおける状態変化検出に連動して、発停処理を実行する別のイベントプログラムのことである。
また、図４下部のブロックＮｏ．は、選択したイベントプログラムにおいて、状態変化検出に連動して発停処理を行う設備機器１１（ポイント）のグループを示す番号である。
【００２４】
ユーザは、イニシエータポイント設定項目については、状態変化検出対象の建物１を示す建物Ｎｏ．および設備機器１１を示す管理点コード（管理ポイント）Ｎｏ．を入力する。また、イニシエータポイント動作設定項目については、何が（どの設備機器１１が）、いつ（運転した際、停止した際、警報が発生した際など）、どうするか（運転、停止、自動制御など）を示す情報を入力する。また、インターロック条件設定項目については、インターロック対象の建物Ｎｏ．および管理点コードＮｏ．を入力する。また、連動プログラム設定項目については、連動させる別のイベントプログラムを示すリストＮｏ．を入力する。また、出力ディレィ設定項目については、遅延時間を示す数値を入力する。ユーザは、上記の各設定項目に対して入力を行い、登録ボタンを押すことによって、状態変化検出対象の設備機器１１に関する実行条件を設定することができる。
なお、登録ボタンが押された後は、この登録ボタンは削除ボタンに変更される。そして、実行状態に移行したイベントプログラムを停止させたい場合にはこの削除ボタンを押す。
【００２５】
次に、ステップＳＴ２３では、イベントプログラム実行条件設定手段２１４は、ユーザによる指示に従い、発停処理対象の設備機器１１に関する実行条件を設定する。この際、イベントプログラム表示手段２１２は、イベントプログラム実行条件設定手段２１４による指示に従い、例えば図５に示すような発停処理対象の設備機器１１に関する実行条件設定画面（ポイント一覧画面）をモニタ上に表示する。この発停処理対象の設備機器１１に関する実行条件設定画面には、図５に示すように、発停処理対象の設備機器１１を設定する発停処理対象設定項目および発停処理対象の設備機器１１の制御内容（起動、停止、自動制御）を設定する制御内容設定項目が設けられている。
【００２６】
ユーザは、発停処理対象設定項目については、発停処理対象の建物Ｎｏ．および管理点コードＮｏ．を入力する。また、制御内容設定項目については、起動、停止、自動のいずれかを選択する。ユーザは、上記の各設定項目に対して入力を行い、実行ボタンを押すことによって、発停処理対象に関する実行条件を設定することができる。
このステップＳＴ２１〜２３の処理によって、イベントプログラムの選択・実行条件の設定を行うことができる。
【００２７】
次いで、イベントプログラム実行手段２１６は、イベントプログラム選択手段２１３により選択され、イベントプログラム実行条件設定手段２１４により実行条件が設定されたイベントプログラムを実行状態に移行する（ステップＳＴ２４）。
【００２８】
次いで、状態変化検出手段２１５は、建物管理装置１２から、イベントプログラム実行条件設定手段２１４により設定された状態変化検出対象に関する実行条件に該当する設備機器１１の状態変化情報を検出したかを判断する（ステップＳＴ２５、状態変化検出ステップ）。
このステップＳＴ２５において、状態変化検出手段２１５が、状態変化検出対象に関する実行条件に該当する設備機器１１の状態変化情報を検出していないと判断した場合には、シーケンスは再びステップＳＴ２５に戻り、待機状態となる。
【００２９】
一方、ステップＳＴ２５において、状態変化検出手段２１５が、状態変化検出対象に関する実行条件に該当する設備機器１１の状態変化情報を検出したと判断した場合には、イベントプログラム実行手段２１６は、実行状態に移行したイベントプログラムに従い、イベントプログラム実行条件設定手段２１４により設定された発停処理対象に関する実行条件に該当する設備機器１１に対して発停処理を行う（ステップＳＴ２６、イベントプログラム実行ステップ）。その後、シーケンスはステップＳＴ２５に戻る。
このステップ２５，２６の処理によって、イベントプログラムに基づいて、複数の建物１内の設備機器１１を連動させて自動制御することができる。
【００３０】
以上のように、この実施の形態１によれば、所定の建物１内の設備機器１１に状態変化が生じた場合に他の所定の建物１内の設備機器１１に対して発停処理を行う広域管理装置２１を備えたので、広域に点在している建物１間でのデータの比較を容易にかつリアルタイムに行うことができ、複数の建物１内の設備機器１１連動させて自動制御することができる。このように、複数の建物１を企業単位で包括して扱うことができるため、効率的な運用が可能となる。また、状態変化検出から発停処理へのロジックを組むことができるため、処理の条件判断などの人的な介入を一切不要とすることができる。
【００３１】
実施の形態２．
図６はこの発明の実施の形態２に係る広域監視システムの構成を示すブロック図である。
図６に示す実施の形態２に係る広域監視システムは、図１に示す実施の形態１に係る広域監視システムにダミー機器２２を追加したものである。その他の構成は同様であり、同一の符号を付してその説明を省略する。
また、広域管理装置２１の動作についても、図２に示す実施の形態１に係る広域管理装置２１の動作と同様であるため、その説明を省略する。
【００３２】
ダミー機器２２は、所定の建物１内の設備機器１１を発停処理させるため、所定のタイミングでダミーの状態変化情報を広域管理装置２１に出力するものである。
なおこの場合には、イベントプログラム実行条件設定手段２１４は、ダミー機器２２を状態変化検出対象として設定する。
これにより、例えば、複数の建物１内の設備機器１１に対して同時に省エネ処理を行う場合に、ダミー機器２２から所定のタイミングで状態変化情報を広域管理装置２１に出力することによって、これらの設備機器１１を同時に停止させることが可能となる。
【００３３】
以上のように、この実施の形態２によれば、ダミー機器２２により、所定のタイミングでダミーの状態変化情報を広域管理装置２１に出力するように構成したので、容易に、複数の建物１内の設備機器１１を同時に自動制御することができる。
【００３４】
なお、実施の形態１，２に係る広域管理装置２１では、所定の建物１内の設備機器１１に状態変化が生じた場合に他の所定の建物１内の設備機器１１に対して発停処理を行うように構成したが、これに限るものではなく、別のイベントを行うように構成してもよい。例えば、所定の複数の建物１内の設備機器１１に発停状況の変化や警報の発生などの状態変化が生じた場合に、その旨を示す状態変化通知メールを、この複数の建物１を監視している担当者のメールアドレスに送信するように構成してもよい。
【００３５】
この場合には、イベントプログラム登録手段２１１に、所定の複数の建物１内の設備機器１１に状態変化が生じた場合にこの複数の建物１を監視している担当者に対してこの状態変化の発生を通知するイベントプログラムを予め登録しておく。
また、イベントプログラム実行条件設定手段２１４は、イベントプログラム選択手段２１３によりこのイベントプログラムが選択された場合には、状態変化検出対象の設備機器１１および通知対象の担当者を示す情報を含む実行条件を設定する。
また、イベント実行手段２１６は、このイベントプログラムを実行状態に移行した後に、状態変化検出手段により状態変化情報が検出された場合には、通知対象に関する実行条件に該当する担当者に対して状態変化発生通知を行う。
【００３６】
また、メールアドレスをメーリングリストにすれば、関係者全員に状態変化通知メールを送信することも可能である。さらに、単純に送信するだけでなく、状態変化検出からメール送信への連動ロジックを組むことができる。
【符号の説明】
【００３７】
１  建物（事業所）
２  広域管理センタ
１１  設備機器
１２  建物管理装置
２１  広域管理装置
２２  ダミー機器
２１１  イベントプログラム登録手段
２１２  イベントプログラム表示手段
２１３  イベントプログラム選択手段
２１４  イベントプログラム実行条件設定手段
２１５  状態変化検出手段
２１６  イベントプログラム実行手段
【図１】
2012053549.tif 000003
【図２】
2012053549.tif 000004
【図３】
2012053549.tif 000005
【図４】
2012053549.tif 000006
【図５】
2012053549.tif 000007
【図６】
2012053549.tif 000008